(57)【要約】      （修正有）【課題】効率的なプリント注文を行うことが可能なプリント注文装置を提供する。【解決手段】デジタルカメラ１０の制御部１２は、プリント注文を行うためのプリント注文装置として機能し、プリント注文情報を取得するプリント注文情報取得機能と、プリントを完了させ、画像データの送信を完了しておかなければならない時刻（以下、プリント送信完了時刻という）を示すプリント送信完了時刻情報を取得するプリント送信完了時刻情報取得機能と、プリント送信完了時刻までに画像データの送信を完了させられるように、画像データのデータ量を制御する画像データ量制御機能と、データ量の制御された画像データ及びプリント注文情報を、注文受付装置４０にネットワーク６０を介して送信させる送信制御機能とを有する。【選択図】図１
2006190071.tif 000002
【特許請求の範囲】
【請求項１】
画像データのプリント注文サービスを提供するプリント注文システムであって、
前記画像データのプリント注文を行うためのプリント注文装置と、
前記画像データのプリントを完了させるべき時刻（以下、プリント完了時刻という）を算出するプリント完了時刻算出装置と、
前記プリント完了時刻に前記プリントを完了させるために前記画像データのプリント注文を受け付ける注文受付装置に前記画像データの送信を完了しておかなければならない時刻（以下、プリント送信完了時刻という）を算出するプリント送信完了時刻算出装置とを有し、
プリント完了時刻算出装置は、前記プリント注文装置の位置情報と、前記プリント注文装置の移動速度情報と、前記注文受付装置の位置情報とに基づいて、前記プリント注文装置の位置が前記注文受付装置の位置と一致すると予測される時刻を前記プリント完了時刻として算出し、
前記プリント注文装置は、前記画像データ及びそのプリント注文情報を取得する画像データ・プリント注文情報取得手段と、前記プリント送信完了時刻算出装置から前記プリント送信完了時刻を示すプリント送信完了時刻情報を取得するプリント送信完了時刻情報取得手段と、前記プリント送信完了時刻までに前記画像データの送信を完了させられるように、前記画像データのデータ量を制御する画像データ量制御手段と、前記データ量の制御された画像データ及び前記プリント注文情報を、前記注文受付装置にネットワークを介して送信させる送信制御手段とを備え、
前記プリント送信完了時刻算出装置は、前記プリント完了時刻算出装置で算出されたプリント完了時刻を示すプリント完了時刻情報と、前記プリント注文装置で取得された前記プリント注文情報と、前記画像データをプリントするプリンタの性能を示すプリンタ性能情報とに基づいて前記プリント送信完了時刻を算出するプリント送信完了時刻算出手段と、前記プリント送信完了時刻情報を前記プリント注文装置に送信させる送信制御手段とを備えるプリント注文システム。
【請求項２】
画像データのプリント注文を行うためのプリント注文装置であって、
前記画像データ及びそのプリント注文情報を取得する画像データ・プリント注文情報取得手段と、
前記画像データのプリントを完了させるべき時刻（以下、プリント完了時刻という）に前記プリントを完了させるために前記画像データのプリント注文を受け付ける注文受付装置に前記画像データの送信を完了しておかなければならない時刻（以下、プリント送信完了時刻という）を示すプリント送信完了時刻情報を取得するプリント送信完了時刻情報取得手段と、
前記プリント送信完了時刻までに前記画像データの送信を完了させられるように、前記画像データのデータ量を制御する画像データ量制御手段と、
前記データ量の制御された画像データ及び前記プリント注文情報を、前記注文受付装置にネットワークを介して送信させる送信制御手段とを備えるプリント注文装置。
【請求項３】
請求項２記載のプリント注文装置であって、
前記プリント送信完了時刻情報取得手段は、プリントすべき前記画像データのうちの１つの画像データの送信が完了する毎に、前記プリント送信完了時刻情報を新たに取得するプリント注文装置。
【請求項４】
請求項２又は３記載のプリント注文装置であって、
前記送信制御手段の制御によって送信されるデータの送信速度を示す送信速度情報を取得する送信速度情報取得手段を備え、
前記画像データ量制御手段は、前記取得された送信速度情報に基づく送信速度の下で、前記プリント送信完了時刻までに前記画像データの送信を完了させられるように、前記画像データのデータ量を制御するプリント注文装置。
【請求項５】
請求項４記載のプリント注文装置であって、
前記送信速度情報取得手段は、プリントすべき前記画像データのうちの１つの画像データの送信が完了する毎に、前記送信速度情報を新たに取得するプリント注文装置。
【請求項６】
請求項２〜５のいずれか記載のプリント注文装置であって、
前記プリント送信完了時刻情報取得手段は、前記プリント完了時刻を示すプリント完了時刻情報、前記プリント注文情報、及び前記画像データをプリントするプリンタの性能を示すプリンタ性能情報に基づいて前記プリント送信完了時刻を算出するプリント送信完了時刻算出装置から前記プリント送信完了時刻情報を取得するプリント注文装置。
【請求項７】
請求項６記載のプリント注文装置であって、
前記プリント完了時刻は、前記プリント注文装置の位置情報と、前記プリント注文装置の移動速度情報と、前記注文受付装置の位置情報とに基づいて前記プリント注文装置の位置が前記注文受付装置の位置と一致すると予測される時刻として算出されたものであるプリント注文装置。
【請求項８】
画像データのプリント注文を行うためのプリント注文装置の位置情報と、前記プリント注文装置の移動速度情報と、前記画像データのプリント注文を受け付ける注文受付装置の位置情報とに基づいて、前記プリント注文装置の位置が前記注文受付装置の位置と一致すると予測される時刻を、前記画像データのプリントを完了させるべき時刻（以下、プリント完了時刻という）として算出するプリント完了時刻算出手段を備えるプリント完了時刻算出装置。
【請求項９】
画像データのプリント注文を行うためのプリント注文装置で取得される前記画像データのプリント注文情報と、前記画像データのプリントを完了させるべき時刻を示すプリント完了時刻情報と、前記画像データをプリントするプリンタの性能を示すプリンタ性能情報とに基づいて、前記プリント完了時刻に前記プリントを完了させるために前記画像データのプリント注文を受け付ける注文受付装置に前記画像データの送信を完了しておかなければならない時刻（以下、プリント送信完了時刻という）を算出するプリント送信完了時刻算出手段と、
前記プリント送信完了時刻を示すプリント送信完了時刻情報を前記プリント注文装置に送信させる送信制御手段とを備えるプリント送信完了時刻算出装置。
【請求項１０】
請求項９記載のプリント送信完了時刻算出装置であって、
前記プリント注文装置で取得される前記プリント注文情報を取得するプリント注文情報取得手段と、
請求項８記載のプリント完了時刻算出装置によって算出されたプリント完了時刻を示す前記プリント完了時刻情報を、前記プリント完了時刻算出装置から取得するプリント完了時刻情報取得手段とを備えるプリント送信完了時刻算出装置。
【請求項１１】
コンピュータを、請求項２〜７のいずれか記載のプリント注文装置の各手段として機能させるためのプリント注文プログラム。
【請求項１２】
コンピュータを、請求項８記載のプリント完了時刻算出装置の各手段として機能させるためのプリント完了時刻算出プログラム。
【請求項１３】
コンピュータを、請求項９又は１０記載のプリント送信完了時刻算出装置の各手段として機能させるためのプリント送信完了時刻算出プログラム。
【発明の詳細な説明】
【技術分野】
【０００１】
本発明は、画像データのプリント注文を行うためのプリント注文装置に関する。
【背景技術】
【０００２】
近年、デジタルカメラが普及し、デジタルカメラで撮影して得られる画像データのプリント注文を行うユーザも増えてきている。このようなプリント注文を行うためのプリントシステムでは、ユーザが、デジタルカメラに保存した画像データとそのプリント注文情報、プリントの受け取り店舗の情報等を送信し、これを受信したプリントサーバに接続されたプリンタによって、該プリント注文情報に基づく画像データのプリントが行われる。そして、プリンタから得られた写真を指定した店舗で受け取ることで、ユーザはデジタルカメラで撮影した写真を手に入れることが可能となっている。
【０００３】
デジタルカメラで撮影して得られた画像データをネットワークを介してサーバに送信する技術が特許文献１に記載されている。
【０００４】
【特許文献１】特開２００１−３６６５５号公報
【発明の開示】
【発明が解決しようとする課題】
【０００５】
デジタルカメラは旅先で用いられることが多いが、多くのユーザは、旅行先で撮影して得られた画像データのプリント注文を、旅行から帰ってきてから行っている。しかし、旅行先で撮影して得られた画像データのプリントを、その旅行中に見たいという要望は多い。そこで、例えば、宿泊先への移動中に、画像データのプリント注文をネットワークを介して行っておき、宿泊先の近くにある店舗で写真を受け取るといったことができれば、ユーザにとっては便利性が高い。移動中に画像データを送信する場合には、その送信に時間がかかることもあるため、ユーザが宿泊先近くの店舗に行ったときに、まだ写真が出来上がっていないことも有り得る。これでは、店舗にてユーザが待たされることになり、その時間が無駄になってしまう。
【０００６】
本発明は、上記事情に鑑みてなされたものであり、効率的なプリント注文を行うことが可能なプリント注文装置を提供することを目的とする。
【課題を解決するための手段】
【０００７】
本発明のプリント注文システムは、画像データのプリント注文サービスを提供するプリント注文システムであって、前記画像データのプリント注文を行うためのプリント注文装置と、前記画像データのプリントを完了させるべき時刻（以下、プリント完了時刻という）を算出するプリント完了時刻算出装置と、前記プリント完了時刻に前記プリントを完了させるために前記画像データのプリント注文を受け付ける注文受付装置に前記画像データの送信を完了しておかなければならない時刻（以下、プリント送信完了時刻という）を算出するプリント送信完了時刻算出装置とを有し、プリント完了時刻算出装置は、前記プリント注文装置の位置情報と、前記プリント注文装置の移動速度情報と、前記注文受付装置の位置情報とに基づいて、前記プリント注文装置の位置が前記注文受付装置の位置と一致すると予測される時刻を前記プリント完了時刻として算出し、前記プリント注文装置は、前記画像データ及びそのプリント注文情報を取得する画像データ・プリント注文情報取得手段と、前記プリント送信完了時刻算出装置から前記プリント送信完了時刻を示すプリント送信完了時刻情報を取得するプリント送信完了時刻情報取得手段と、前記プリント送信完了時刻までに前記画像データの送信を完了させられるように、前記画像データのデータ量を制御する画像データ量制御手段と、前記データ量の制御された画像データ及び前記プリント注文情報を、前記注文受付装置にネットワークを介して送信させる送信制御手段とを備え、前記プリント送信完了時刻算出装置は、前記プリント完了時刻算出装置で算出されたプリント完了時刻を示すプリント完了時刻情報と、前記プリント注文装置で取得された前記プリント注文情報と、前記画像データをプリントするプリンタの性能を示すプリンタ性能情報とに基づいて前記プリント送信完了時刻を算出するプリント送信完了時刻算出手段と、前記プリント送信完了時刻情報を前記プリント注文装置に送信させる送信制御手段とを備える。
【０００８】
この構成により、効率的なプリント注文を行うことが可能となる。
【０００９】
本発明のプリント注文装置は、画像データのプリント注文を行うためのプリント注文装置であって、前記画像データ及びそのプリント注文情報を取得する画像データ・プリント注文情報取得手段と、前記画像データのプリントを完了させるべき時刻（以下、プリント完了時刻という）に前記プリントを完了させるために前記画像データのプリント注文を受け付ける注文受付装置に前記画像データの送信を完了しておかなければならない時刻（以下、プリント送信完了時刻という）を示すプリント送信完了時刻情報を取得するプリント送信完了時刻情報取得手段と、前記プリント送信完了時刻までに前記画像データの送信を完了させられるように、前記画像データのデータ量を制御する画像データ量制御手段と、前記データ量の制御された画像データ及び前記プリント注文情報を、前記注文受付装置にネットワークを介して送信させる送信制御手段とを備える。
【００１０】
この構成により、効率的なプリント注文を行うことが可能となる。
【００１１】
本発明のプリント注文装置は、前記プリント送信完了時刻情報取得手段が、プリントすべき前記画像データのうちの１つの画像データの送信が完了する毎に、前記プリント送信完了時刻情報を新たに取得する。
【００１２】
この構成により、プリント送信完了時刻の変動にも対応することができる。
【００１３】
本発明のプリント注文装置は、前記送信制御手段の制御によって送信されるデータの送信速度を示す送信速度情報を取得する送信速度情報取得手段を備え、前記画像データ量制御手段は、前記取得された送信速度情報に基づく送信速度の下で、前記プリント送信完了時刻までに前記画像データの送信を完了させられるように、前記画像データのデータ量を制御する。
【００１４】
この構成により、送信速度情報を考慮したデータ量制御を行うため、より効率的なプリント注文が可能となる。
【００１５】
本発明のプリント注文装置は、前記送信速度情報取得手段が、プリントすべき前記画像データのうちの１つの画像データの送信が完了する毎に、前記送信速度情報を新たに取得する。
【００１６】
この構成により、送信速度情報の変動にも対応することができる。
【００１７】
本発明のプリント注文装置は、前記プリント送信完了時刻情報取得手段が、前記プリント完了時刻を示すプリント完了時刻情報、前記プリント注文情報、及び前記画像データをプリントするプリンタの性能を示すプリンタ性能情報に基づいて前記プリント送信完了時刻を算出するプリント送信完了時刻算出装置から前記プリント送信完了時刻情報を取得する。
【００１８】
本発明のプリント注文装置は、前記プリント完了時刻が、前記プリント注文装置の位置情報と、前記プリント注文装置の移動速度情報と、前記注文受付装置の位置情報とに基づいて前記プリント注文装置の位置が前記注文受付装置の位置と一致すると予測される時刻として算出されたものである。
【００１９】
本発明のプリント完了時刻算出装置は、画像データのプリント注文を行うためのプリント注文装置の位置情報と、前記プリント注文装置の移動速度情報と、前記画像データのプリント注文を受け付ける注文受付装置の位置情報とに基づいて、前記プリント注文装置の位置が前記注文受付装置の位置と一致すると予測される時刻を、前記画像データのプリントを完了させるべき時刻（以下、プリント完了時刻という）として算出するプリント完了時刻算出手段を備える。
【００２０】
本発明のプリント送信完了時刻算出装置は、画像データのプリント注文を行うためのプリント注文装置で取得される前記画像データのプリント注文情報と、前記画像データのプリントを完了させるべき時刻を示すプリント完了時刻情報と、前記画像データをプリントするプリンタの性能を示すプリンタ性能情報とに基づいて、前記プリント完了時刻に前記プリントを完了させるために前記画像データのプリント注文を受け付ける注文受付装置に前記画像データの送信を完了しておかなければならない時刻（以下、プリント送信完了時刻という）を算出するプリント送信完了時刻算出手段と、前記プリント送信完了時刻を示すプリント送信完了時刻情報を前記プリント注文装置に送信させる送信制御手段とを備える。
【００２１】
本発明のプリント送信完了時刻算出装置は、前記プリント注文装置で取得される前記プリント注文情報を取得するプリント注文情報取得手段と、前記プリント完了時刻算出装置によって算出されたプリント完了時刻を示す前記プリント完了時刻情報を、前記プリント完了時刻算出装置から取得するプリント完了時刻情報取得手段とを備える。
【００２２】
本発明のプリント注文プログラムは、コンピュータを、前記プリント注文装置の各手段として機能させるためのプログラムである。
【００２３】
本発明のプリント完了時刻算出プログラムは、コンピュータを、前記プリント完了時刻算出装置の各手段として機能させるためのプログラムである。
【００２４】
本発明のプリント送信完了時刻算出プログラムは、コンピュータを、前記プリント送信完了時刻算出装置の各手段として機能させるためのプログラムである。
【発明の効果】
【００２５】
本発明によれば、効率的なプリント注文を行うことが可能なプリント注文装置を提供することができる。
【発明を実施するための最良の形態】
【００２６】
以下、本発明の実施形態について図面を参照して説明する。
【００２７】
図１は、本発明の実施形態を説明するためのプリント注文システムの概略構成を示す図である。
図１に示すプリント注文システムは、デジタルカメラ１０と、携帯電話機２０と、カーナビゲーション装置３０と、プリント注文受付装置４０と、プリンタ５０と、インターネット等のネットワーク６０とを備える。
【００２８】
デジタルカメラ１０は、近距離通信部１１と、制御部１２と、操作部１３と、記録媒体１４と、画像データ圧縮・リサイズ部１５とを備える。
【００２９】
近距離通信部１１は、ブルートゥース通信や赤外線通信等によって携帯電話機２０と近距離通信を行うためのインターフェースである。
【００３０】
操作部１３は、デジタルカメラ１０の各種操作を行うためのボタンやキー等のインターフェースである。
【００３１】
記録媒体１４は、デジタルカメラ１０で撮影して得られた画像データやその他の画像データと、その画像データ毎に設定されたデータ容量及びプリント注文枚数等を示すプリント注文情報とを記録するＲＡＭやメモリカード等の記録媒体である。
【００３２】
制御部１２は、デジタルカメラ１０全体を統括制御するものであり、所定のプログラムによって動作するプロセッサを主体に構成される。制御部１２は、画像データのプリント注文を行うためのプリント注文プログラムを実行することにより、プリント注文装置として機能する。
【００３３】
画像データ圧縮・リサイズ部１５は、制御部１２によって決定された圧縮率又はリサイズ率で、画像データを圧縮又はリサイズする処理を行う。
【００３４】
携帯電話機２０は、通信部２１と、制御部２２と、操作部２３と、近距離通信部２４とを備える。
【００３５】
通信部２１は、ネットワーク６０を介してプリント注文受付装置４０と通信を行うためのインターフェースである。
【００３６】
制御部２２は、携帯電話機２０全体を統括制御するものであり、所定のプログラムによって動作するプロセッサを主体に構成される。
【００３７】
操作部２３は、携帯電話機２０の各種操作を行うためのボタンやキー等のインターフェースである。
【００３８】
近距離通信部２４は、ブルートゥース通信や赤外線通信等によってデジタルカメラ１０やカーナビゲーション装置３０と近距離通信を行うためのインターフェースである。
【００３９】
カーナビゲーション装置３０は、近距離通信部３１と、操作部３２と、位置情報取得部３３と、交通情報取得部３４と、制御部３５と、地図情報データベース（ＤＢ）３６とを備える。
【００４０】
近距離通信部３１は、ブルートゥース通信や赤外線通信等によって携帯電話機２０と近距離通信を行うためのインターフェースである。
【００４１】
操作部３２は、カーナビゲーション装置３０の各種操作を行うためのボタンやキー等のインターフェースである。
【００４２】
位置情報取得部３３は、カーナビゲーション装置３０を搭載する図示しない車に設置されたＧＰＳ受信機で受信されるＧＰＳ情報を基に、該車の現在位置の情報や移動速度（所定時間における平均移動速度）の情報等を取得して制御部３５に伝達する。
【００４３】
交通情報取得部３４は、渋滞情報等の交通情報を図示しないネットワークに接続されたサーバ等から取得する。
【００４４】
制御部３５は、カーナビゲーション装置３０全体を統括制御するものであり、所定のプログラムによって動作するプロセッサを主体に構成される。制御部３５は、プリント注文する画像データのプリントを完了させるべき時刻（以下、プリント完了時刻という）を算出するプリント完了時刻算出プログラムを実行することにより、プリント完了時刻算出装置として機能する。
【００４５】
地図情報ＤＢ３６は、全国各地の地図情報や全国各地にあるプリント注文装置４０及びプリンタ５０の設置された店舗の位置情報等を記録するハードディスク等の記録媒体である。
【００４６】
プリント注文受付装置４０は、例えばコンピュータであり、通信部４１と、制御部４２とを備える。プリント注文受付装置４０とプリンタ５０とは接続されており、双方は、画像データのプリントをユーザに渡すために全国各地に設けられた店舗内に設置される。
【００４７】
通信部４１は、ネットワーク６０を介して携帯電話機２０と通信を行うためのインターフェースである。
【００４８】
制御部４２は、プリント注文受付装置４０全体を統括制御するものであり、所定のプログラムによって動作するプロセッサを主体に構成される。制御部４２は、カーナビゲーション装置３０の制御部３５で算出されたプリント完了時刻にプリントを完了させるために、そのプリントの注文を受け付けるプリント注文受付装置４０に、プリントすべき画像データの送信を完了しておかなければならない時刻（以下、プリント送信完了時刻という）を算出するプリント送信完了時刻算出プログラムを実行することにより、プリント送信完了時刻算出装置として機能する。制御部４２は、デジタルカメラ１０から送信されてくる画像データと、そのプリント注文情報とを取得し、そのプリント注文情報に基づいて、画像データのプリントをプリンタ５０に行わせる制御も行う。
【００４９】
以下、カーナビゲーション装置３０を搭載した車で移動中のデジタルカメラ１０及び携帯電話機２０のユーザが、記録媒体１４に記録されている画像データのプリント注文を行う際の動作を説明する。
【００５０】
図２は、本発明の実施形態を説明するためのプリント注文システムの動作シーケンスを示す図である。
まず、デジタルカメラ１０と携帯電話機２０との接続、携帯電話機２０とカーナビゲーション装置３０との接続が確立される。そして、ユーザにより、カーナビゲーション装置３０の操作部３２が操作されて、目的地が設定される（Ｓ２０１）。一方、デジタルカメラ１０では、プリント注文プログラムを実行した制御部１２が、画像データとそのプリント注文情報を記録媒体１４から取得し（Ｓ２０２）、その画像データのプリントを受け取る店舗の検索要求を、近距離通信部１１から携帯電話機２０を介してカーナビゲーション装置３０の制御部３５に対して行う（Ｓ２０３）。
【００５１】
検索要求を受けたカーナビゲーション装置３０の制御部３５は、地図情報ＤＢ３６を参照して、Ｓ２０１で設定された目的地の一番近くにある店舗を検索し（Ｓ２０４）、検索した店舗に設置されているプリント注文受付装置４０のＩＰアドレス情報等を、近距離通信部３１から携帯電話機２０を介してデジタルカメラ１０に送信させる（Ｓ２０５）。デジタルカメラ１０の制御部１２は、このＩＰアドレス情報にしたがい、記録媒体１４から取得したプリント注文情報を、近距離通信部１１から携帯電話機２０を介してプリント注文受付装置４０に送信させる（Ｓ２０６）。
【００５２】
一方、カーナビゲーション装置３０の制御部３５は、店舗検索後、位置情報取得部３３で取得された車の位置情報や移動速度情報（デジタルカメラ１０や携帯電話機２０の位置情報や移動速度情報と同一）と、交通情報取得部３４で取得された交通情報と、検索した店舗の位置情報と（該店舗にあるプリント注文受付装置４０の位置情報と同一）に基づいて、車の位置と検索した店舗の位置が一致すると予測される時刻、つまり、車が店舗へ到着する到着予定時刻を、上記プリント完了時刻として算出し（Ｓ２０７）、算出した到着予定時刻を示す到着予定時刻情報を、近距離通信部３１から携帯電話機２０を介してプリント注文受付装置４０に送信させる（Ｓ２０８）。
【００５３】
プリント注文受付装置４０の制御部４２は、通信部４１で受信されたプリント注文情報及び到着予定時刻情報を取得し、これらの情報と、自装置に接続されているプリンタ５０のプリント能力（例えば、１つの画像データをプリントするのに要する時間）を示すプリント能力情報（この情報は、プリント注文受付装置４０内の図示しないメモリ等に記憶されている）とに基づいて、到着予定時刻にプリントを完了させるためにプリント注文受付装置４０に画像データの送信を完了しておかなければならない時刻（プリント送信完了時刻）を算出する（Ｓ２０９）。
【００５４】
例えば、プリンタ５０が、画像データの容量に関わらず、それを１つプリントするのに１分かかるものとし、プリント注文枚数を全部で４枚とし、到着予定時刻を１２：００とし、画像データのプリントは、その画像データがプリント注文受付装置４０で受信完了されると同時に開始されるものとし、図３に示すように、１つの画像データのプリント時間よりも、その画像データの送信時間の方が長いと仮定すると、上記プリント送信完了時刻は、１１：５９と算出される。
【００５５】
プリント注文受付装置４０の制御部４２は、算出したプリント送信完了時刻を示すプリント送信完了時刻情報を、通信部４１から携帯電話機２０を介してデジタルカメラ１０に送信させる（Ｓ２１０）。
【００５６】
デジタルカメラ１０の制御部１２は、近距離通信部１１で受信されたプリント送信完了時刻情報を取得し、携帯電話機２０の通信部２１によるデータ送信速度を示す送信速度情報を携帯電話機２０から取得する（Ｓ２１１）。携帯電話機２０では、制御部２２が、例えば特許文献１に示したような方法で送信速度を検出し、検出した送信速度を示す情報を、デジタルカメラ１０からの要求に応じて返信させる。
【００５７】
プリント送信完了時刻情報と送信速度情報を取得した制御部１２は、この２つの情報に基づいて、プリント送信完了時刻までに、Ｓ２０２で取得した画像データのプリント注文受付装置４０への送信を完了させられるように、該画像データのデータ量を制御する。具体的に制御部１２は、プリント送信完了時刻情報と送信速度情報とに基づいて、Ｓ２０２で取得した画像データの圧縮率又はリサイズ率を決定し（Ｓ２１２）、画像データ圧縮・リサイズ部１５に対し、決定した圧縮率又はリサイズ率で画像データを圧縮又はリサイズさせる（Ｓ２１３）。
【００５８】
プリント送信完了時刻が１１：５９、Ｓ２０２で取得した画像データが全部で４個あるとすると、制御部１２は、送信速度情報に基づく送信速度の下で、現在時刻から１１：５９までに４個の画像データを送信完了できるように、４個の画像データの圧縮率又はリサイズ率を決定する。例えば、現在時刻からプリント送信完了時刻までの時間が短く、送信速度が遅い場合には、各画像データの圧縮率又はリサイズ率を高くしたり、現在時刻からプリント送信完了時刻までの時間が長く、送信速度が速い場合には、各画像データの圧縮率又はリサイズ率を低くしたりする。
【００５９】
画像データ圧縮・リサイズ部１５は、制御部１２で決定された圧縮率又はリサイズ率で、１つ目の画像データを圧縮又はリサイズし、圧縮又はリサイズ後の画像データを制御部１２に入力する。
【００６０】
これを受けた制御部１２は、その画像データを近距離通信部１１から携帯電話機２０を介してプリント注文受付装置４０に送信させる（Ｓ２１４）。画像データを受信したプリント注文受付装置４０では、制御部４２が、受信した画像データとそのプリント注文情報をプリンタ５０に転送してプリント指示を行い（Ｓ２１５）、プリンタ５０によってプリントが行われる。
【００６１】
画像データ送信後、制御部１２は、まだ送信していない画像データがあるか否か判定し、未送信画像データがない場合（Ｓ２１６：ＮＯ）は処理を終了する。一方、未送信画像データがあった場合（Ｓ２１６：ＹＥＳ）、制御部１２は、到着予定時刻の更新要求を近距離通信部１１から携帯電話機２０を介してカーナビゲーション装置３０に対して行う（Ｓ２１７）。この更新要求を受けたカーナビゲーション装置３０の制御部３５は、更新要求を受けた時点での位置情報、移動速度情報、及び交通情報に基づいて、Ｓ２０４で検索した店舗への到着予定時刻を再度算出し（Ｓ２１８）、Ｓ２０８へと処理を移行する。
【００６２】
そして、プリント注文受付装置４０ではプリント送信完了時刻が再度算出され（Ｓ２０９）、プリント送信完了時刻情報がデジタルカメラ１０に送信される（Ｓ２１０）。デジタルカメラ１０の制御部１２は、新しいプリント送信完了時刻情報を取得し、更に、携帯電話機２０から新しい送信速度情報を取得する（Ｓ２１１）。そして、制御部１２は、新たに取得したプリント送信完了時刻情報と送信速度情報に基づいて、Ｓ２０２で取得した画像データのうち、既に送信済みの画像データを除く画像データをプリント送信完了時刻までに送信完了できるように、圧縮率又はリサイズ率を再度決定する（Ｓ２１２）。
【００６３】
このように、本実施形態のプリント注文システムによれば、画像データのプリントを行う店舗への到着予定時刻がカーナビゲーション装置３０で算出され、この到着予定時刻にプリントを完了させるためにプリント注文受付装置４０に画像データの送信を完了しておかなければならない時刻（プリント送信完了時刻）がプリント注文受付装置４０で算出される。そして、このプリント送信完了時刻までに全ての画像データを送信完了できるように、各画像データのデータ量が制御され、制御後の画像データがプリント注文受付装置４０に送信されて、プリントが行われる。このため、旅行先での移動中の時間を有効に利用したプリント注文が可能になると共に、ユーザが店舗に到着したときには、注文したプリントは既に出来上がっているため、ユーザを待たせることがなくなる。
【００６４】
又、本実施形態のプリント注文システムでは、プリントすべき画像データを１つ送信する毎に、プリント送信完了時刻情報と送信速度情報を新たに取得し、これらに基づいて未送信の画像データの圧縮率又はリサイズ率を決定している。このため、例えば、１つ目の画像データを送信する前の時点では、道も空いていて店舗に速やかに到着できると予測され、又、送信に用いる携帯電話機２０の通信状況も悪かったので、１つ目の画像データについては高圧縮率で圧縮して送信し、２つ目の画像データを送信する前の時点では、渋滞に巻き込まれてしまい到着予定時刻が先延ばしになったので、又、送信に用いる携帯電話機２０の通信状況も良くなったので、２つ目の画像データについては圧縮せずに送信するといった処理が可能となる。このように、本実施形態のプリント注文システムによれば、到着予定時刻や送信速度に変化があった場合でも、その変化に合わせて画像データのデータ量を制御することができるため、ユーザが店舗に到着したときに、注文したプリントがまだ出来上がっていないといった状況をより確実に無くすことが可能となる。
【００６５】
尚、上記の説明では、１つの画像データを送信する毎に、制御部１２がプリント送信完了時刻情報と送信速度情報を新たに取得して圧縮率又はリサイズ率を変更しているが、このようにしなくとも、本発明の課題を解決することは可能である。例えば、図２のＳ２１６、Ｓ２１７、Ｓ２１８の処理を省略し、Ｓ２１３で全ての画像データを圧縮し、圧縮後の全画像データをＳ２１４で送信しても良い。交通状況や通信状況があまり変化しないような場合には、Ｓ２１６、Ｓ２１７、Ｓ２１８の処理を省略しても、十分に効果を得ることができる。
【００６６】
又は、プリント送信完了時刻情報の取得は画像データの送信毎に行い、送信速度情報の取得は、最初の１回のみとしても良い。携帯電話機２０の電波状況が良い場所では、このようにしても十分に効果を得ることができる。
【００６７】
又、上記の説明では、デジタルカメラ１０がネットワーク６０に接続できるインターフェースを持っていないため、携帯電話機２０を利用することで、デジタルカメラ１０とプリント注文受付装置４０との通信を可能にしているが、デジタルカメラ１０にネットワーク６０に接続できるインターフェースを持たせておけば、携帯電話機２０は不要である。
【００６８】
又、上記の説明では、デジタルカメラ１０とカーナビゲーション装置３０とが携帯電話機２０を介して通信を行っているが、近距離通信部１１と近距離通信部３１とを利用して直接通信を行うことも可能である。
【００６９】
又、上記の説明では、プリント送信完了時刻の算出を、プリント注文受付装置４０にて行っているが、この算出は、ネットワーク６０に接続された別のコンピュータで行なっても良いし、デジタルカメラ１０内で行なっても良い。別のコンピュータやデジタルカメラ１０内で行う場合には、プリント注文受付装置４０からプリンタ能力情報を予め取得しておく必要がある。
【００７０】
又、上記の説明では、到着予定時刻をカーナビゲーション装置３０によって自動的に算出し、これをプリント注文受付装置４０に送信するようにしているが、到着予定時刻は、デジタルカメラ１０のユーザが直接手入力等により設定し、デジタルカメラ１０からプリント注文情報と共にプリント注文受付装置４０に送信するようにしても良い。
【００７１】
次に、ユーザが店舗に到着した後に待たなくて済むような別の方法について説明する。この場合のシステム構成は図１と同様である。
図４は、ユーザが店舗に到着した後に待たなくて済むような別の方法を説明するためのシーケンスチャートである。図２と同様のシーケンスには同一符号を付してある。
【００７２】
カーナビゲーション装置３０の制御部３５は、Ｓ２０５の後、検索した店舗への経路を少なくとも１つ決定し、決定した各経路毎に、車が店舗へ到着する到着予定時刻を上記プリント完了時刻として算出し（Ｓ３０１）、算出した各経路毎の到着予定時刻を示す到着予定時刻情報を、近距離通信部３１から携帯電話機２０を介してプリント注文受付装置４０に送信させる（Ｓ３０２）。
【００７３】
プリント注文受付装置４０の制御部４２は、通信部４１で受信されたプリント注文情報及び各経路毎の到着予定時刻情報を取得し、これらの情報と、自装置に接続されているプリンタ５０のプリント能力（例えば、１つの画像データをプリントするのに要する時間）を示すプリント能力情報（この情報は、プリント注文受付装置４０内の図示しないメモリ等に記憶されている）とに基づいて、到着予定時刻にプリントを完了させるためにプリント注文受付装置４０に画像データの送信を完了しておかなければならない時刻（プリント送信完了時刻）を各経路毎に算出する（Ｓ３０３）。
【００７４】
プリント注文受付装置４０の制御部４２は、算出した各経路毎のプリント送信完了時刻を示すプリント送信完了時刻情報を、通信部４１から携帯電話機２０を介してデジタルカメラ１０に送信させる（Ｓ３０４）。
【００７５】
デジタルカメラ１０の制御部１２は、プリント注文受付装置４０から取得した各経路毎のプリント送信完了時刻情報と、Ｓ２０２で取得したプリント注文情報とを、カーナビゲーション装置３０に送信させ（Ｓ３０５）、画像データを１つだけプリント注文受付装置４０へ送信させる（Ｓ３０６）。
【００７６】
画像データを受信したプリント注文受付装置４０では、制御部４２が、受信した画像データとそのプリント注文情報をプリンタ５０に転送してプリント指示を行い（Ｓ３０７）、プリンタ５０によってプリントが行われる。
【００７７】
一方、カーナビゲーション装置３０の制御部３５は、プリント送信完了時刻情報とプリント注文情報を受信後、携帯電話機２０から送信速度情報を取得し（Ｓ３０８）、プリント送信完了時刻情報、プリント注文情報、及び送信速度情報に基づいて、Ｓ３０１で検索した店舗への各経路のうち、プリント送信完了時刻までに全ての画像データの送信を完了することのできる経路を決定し、その経路の中で最短経路を最適経路として決定する（Ｓ３０９）。
【００７８】
画像データの送信後、デジタルカメラ１０の制御部１２は、まだ送信していない画像データがあるか否か判定し、未送信画像データがない場合（Ｓ３１０：ＮＯ）は処理を終了する。一方、未送信画像データがあった場合（Ｓ３１０：ＹＥＳ）、制御部１２は、各経路毎の到着予定時刻の更新要求を近距離通信部１１から携帯電話機２０を介してカーナビゲーション装置３０に対して行う（Ｓ３１１）。この更新要求を受けたカーナビゲーション装置３０の制御部３５は、更新要求を受けた時点での位置情報及び交通情報に基づいて、Ｓ２０４で検索した店舗への各経路毎の到着予定時刻を再度算出し（Ｓ３１２）、Ｓ３０２へと処理を移行する。
【図面の簡単な説明】
【００７９】
【図１】本発明の実施形態を説明するためのプリント注文システムの概略構成を示す図
【図２】本発明の実施形態を説明するためのプリント注文システムの動作シーケンスを示す図
【図３】画像データのプリント時間と送信時間との関係を示す図
【図４】ユーザが店舗に到着した後に待たなくて済むような別の方法を説明するためのシーケンスチャート
【符号の説明】
【００８０】
１０  デジタルカメラ
１１，２４，３１  近距離通信部
１２，２２，３５，４２  制御部
１３，２３，３２  操作部
１４  記録媒体
１５  画像データ圧縮・リサイズ部
２０  携帯電話機
２１，４１  通信部
３０  カーナビゲーション装置
３３  位置情報取得部
３４  交通情報取得部
３６  地図情報データベース
４０  プリント注文受付装置
５０  プリンタ
６０  ネットワーク
【図１】
2006190071.tif 000003
【図２】
2006190071.tif 000004
【図３】
2006190071.tif 000005
【図４】
2006190071.tif 000006